(57)【要約】【課題】排出口で媒体が押さえられた場合であっても媒体の詰まりの発生を抑制する手段を提供する。【解決手段】連続した媒体に印刷を行うレシートプリンタ２において、連続紙２０を搬送する搬送路２１１に設けられた印字部２２と、印字部２２の連続紙２０の搬送方向における下流側に配置され、連続紙２０を切断するカット部２３と、カット部２３の連続紙２０の搬送方向における下流側に配置され、搬送される連続紙２０を排出する排出部２４とを備え、排出部２４は、上下方向に所定の空間２４ｃを有している。【選択図】        図１
2015101421.tif 000002
【特許請求の範囲】
【請求項１】
連続した媒体に印刷を行う印刷装置において、
前記媒体を搬送する搬送路に設けられた印刷部と、
前記印刷部の前記媒体の搬送方向における下流側に配置され、前記媒体を切断する切断部と、
前記切断部の前記媒体の搬送方向における下流側に配置され、搬送される前記媒体を排出する排出部とを備え、
前記排出部は、上下方向に所定の空間を有していることを特徴とする印刷装置。
【請求項２】
請求項１に記載の印刷装置において、
前記排出部は、上部搬送ガイドと、前記上部搬送ガイドの下方に配設された下部搬送ガイドとを有し、
前記空間は、前記下部搬送ガイドと前記上部搬送ガイドとにより形成されていることを特徴とする印刷装置。
【請求項３】
請求項２に記載の印刷装置において、
前記下部搬送ガイドは、前記排出部の開口部に向かって下方向に傾斜していることを特徴とする印刷装置。
【請求項４】
請求項２または請求項３に記載の印刷装置において、
前記下部搬送ガイドと前記上部搬送ガイドとの間の前記搬送路の下方に、中間搬送ガイドを有することを特徴とする印刷装置。
【請求項５】
請求項４に記載の印刷装置において、
前記中間搬送ガイドは、媒体搬送方向における長さが前記下部搬送ガイドおよび前記上部搬送ガイドより短く形成され、先端部が装置外部から視認できる位置に配置されていることを特徴とする印刷装置。
【請求項６】
請求項４に記載の印刷装置において、
前記中間搬送ガイドは、媒体搬送方向における長さが前記下部搬送ガイドより長く形成されていることを特徴とする印刷装置。
【請求項７】
請求項４から請求項６のいずれか１項に記載の印刷装置において、
前記中間搬送ガイドは、２つの搬送ガイド部材を有し、
前記それぞれの搬送ガイド部材は、媒体搬送方向における前記排出部の両側部に配設されていることを特徴とする印刷装置。
【請求項８】
請求項１から請求項７のいずれか１項に記載の印刷装置において、
前記搬送路は、前記空間の上下方向における中央より上側に配置されていることを特徴とする印刷装置。
【請求項９】
請求項１から請求項８のいずれか１項に記載の印刷装置を備えたことを特徴とする媒体発行装置。
【発明の詳細な説明】
【技術分野】
【０００１】
本発明は、連続した媒体に印刷を行う印刷装置およびその印刷装置を備えた媒体発行装置に関する。
【背景技術】
【０００２】
従来の印刷装置は、連続した媒体としての連続紙に印字ヘッドで印字を行い、その連続紙を所定量搬送してカッタで切断し、レシートとして排出口から排出するようにしているものがある（例えば、特許文献１参照）。
このような印刷装置において、カッタで連続紙の一点を残すパーシャルカットした用紙を排出口から排出する場合、排出口から装置の外部に排出された用紙の先端部を操作者が掴んで引き抜くようにしている。例えば、図１１に示す従来の印刷装置１０２では、連続紙１２０に印字ヘッド１２２で印字を行い、カッタ１２３で連続紙１２０の一点を残すパーシャルカットした連続紙１２０を、搬送路１２４を経由して排出口１２５から装置の外部に排出し、その先端部を操作者が掴んで引き抜くようにしている。
【先行技術文献】
【特許文献】
【０００３】
【特許文献１】特開２００５−２７９９８３号公報
【発明の概要】
【発明が解決しようとする課題】
【０００４】
しかしながら、上述した従来の技術においては、複数枚のパーシャルカットされた連続紙を排出する場合、連続紙が短冊状になって排出口から排出されるため、排出口で操作者により連続紙が押さえられると、後続して印字され、印字部から搬送路へ排出された連続紙が詰まってしまう（例えば、図１２に示すように連続紙１２０が短冊状になって排出口１２５から排出されるため、排出口１２５で操作者により用紙が押さえられると後続して印字され、印字部１２２から搬送路１２４へ排出された連続紙１３１が詰まってしまう）という問題がある。
本発明は、このような問題を解決することを課題とし、排出口で媒体が押さえられた場合であっても媒体の詰まりの発生を抑制することを目的とする。
【課題を解決するための手段】
【０００５】
そのため、本発明は、連続した媒体に印刷を行う印刷装置において、前記媒体を搬送する搬送路に設けられた印刷部と、前記印刷部の前記媒体の搬送方向における下流側に配置され、前記媒体を切断する切断部と、前記切断部の前記媒体の搬送方向における下流側に配置され、搬送される前記媒体を排出する排出部とを備え、前記排出部は、上下方向に所定の空間を有していることを特徴とする。
【発明の効果】
【０００６】
このようにした本発明は、排出口で媒体が押さえられた場合であっても媒体の詰まりの発生を抑制することができるという効果が得られる。
【図面の簡単な説明】
【０００７】
【図１】第１の実施例におけるレシートプリンタの構成を示す概略断面図
【図２】第１の実施例における媒体発行装置を示す外観斜視図
【図３】第１の実施例における媒体発行装置を示す正面図および側面図
【図４】第１の実施例におけるレシートプリンタの用紙詰まりの発生を示す説明図
【図５】第１の実施例におけるレシートプリンタの用紙カールの発生を示す説明図
【図６】第２の実施例におけるレシートプリンタの構成を示す説明図
【図７】第２の実施例におけるレシートプリンタでの短用紙を排出したときの状態を示す説明図
【図８】第３の実施例におけるレシートプリンタの中間搬送ガイドの構成を示す説明図
【図９】第３の実施例におけるレシートプリンタでの長用紙を排出したときの状態を示す説明図
【図１０】第４の実施例におけるレシートプリンタの構成を示す説明図
【図１１】従来例におけるレシートプリンタの構成を示す概略断面図
【図１２】従来例におけるレシートプリンタの用紙詰まりの発生を示す説明図
【発明を実施するための形態】
【０００８】
以下、図面を参照して本発明による印刷装置および媒体発行装置の実施例を説明する。
【実施例１】
【０００９】
図２は第１の実施例における媒体発行装置を示す外観斜視図、図３は第１の実施例における媒体発行装置を示す正面図および側面図である。
図２および図３において、媒体発行装置１００は、例えば店舗や駅等に設置されるＫＩＯＳＫ（キオスク）端末等であり、利用者の操作を受付けて各種媒体を発行するものである。この媒体発行装置１００は、タッチパネル１と、印刷装置としてのレシートプリンタ２と、磁気カードリーダ３と、非接触ＩＣカードリーダ４とにより構成されている。
タッチパネル１は、液晶ディスプレイ等の表示部と、利用者の入力を受付ける入力部とから構成されたものであり、顧客の操作を誘導する情報を表示部に表示し、また表示部に表示した誘導に従った利用者の操作を受付けるものである。
【００１０】
レシートプリンタ２は、連続した媒体としての連続紙に印刷を行う印刷装置であり、連続紙に印字を行う印字機構と、連続紙を搬送する搬送機構と、連続紙を切断する切断機構等を備え、各種情報を連続紙に印字し、印字した連続紙を所定の長さで切断してレシートとして排出口部２５から排出して利用者に発行するものである。
磁気カードリーダ３は、磁気ストライプ付カードの挿入を受付け、磁気ストライプに対して各種情報の読取りや書き込みを行うものである。
非接触ＩＣカードリーダ４は、近接した非接触ＩＣカードとの間で無線通信を行い、非接触ＩＣカードに対して各種情報の読取りや書き込みを行うものである。
このように構成された媒体発行装置１００は、利用者の操作をタッチパネル１で受付け、磁気カードリーダ３または非接触ＩＣカードリーダ４で会員カード等から読み取った各種情報に基づいて印字したレシートを利用者に発行する。
【００１１】
図１は第１の実施例におけるレシートプリンタの構成を示す概略断面図である。
図１において、レシートプリンタ２は、連続した媒体としての連続紙２０と、搬送ローラ２１と、印字部２２と、カット部２３と、排出部２４と、排出口部２５とを有している。
連続紙２０は、レシートプリンタ２の奥部に配置され、ロール状に巻かれた印刷用紙であり、回転可能に支持されたものである。
【００１２】
搬送ローラ２１は、連続紙２０を搬送する搬送路２１１上に配設され、モータ等の駆動源により回転駆動され、連続紙２０を印字部２２およびカット部２３へ向かう媒体搬送方向に搬送する搬送機構を構成するものである。
印刷部としての印字部２２は、連続紙２０を搬送する搬送路２１１上に配設され、連続紙２０に文字や図形等を印刷する印字ヘッドを備え、搬送ローラ２１により搬送された連続紙２０に印字を行う印字機構を構成するものである。
【００１３】
切断部としてのカット部２３は、印字部２２の連続紙２０の搬送方向における下流側に配置され、連続紙２０を切断するカッタを備え、印字部２２で印字され、搬送ローラ２１で搬送された連続紙２０を所定の長さで一点を残して切断（以下、「パーシャルカット」という。）する切断機構を構成するものである。
排出部２４は、カット部２３の連続紙２０の搬送方向における下流側に配置され、搬送される連続紙２０を排出するものであり、板状の上部搬送ガイド２４ｂと、上部搬送ガイド２４ｂの下方に配設され、カット部２３でパーシャルカットされる連続紙２０を案内する板状の下部搬送ガイド２４ａと、下部搬送ガイド２４ａおよび上部搬送ガイド２４ｂにより形成された空間２４ｃとにより形成されている。したがって、排出部２４は、上下方向に所定の空間２４ｃを有している。
【００１４】
下部搬送ガイド２４ａは、カット部２３からレシートプリンタ２の前面の排出部２４の開口部である排出口部２５の方向（以下、「排出方向」という。）に向けて下方向に傾斜するように配設され、また上部搬送ガイド２４ｂは、カット部２３からレシートプリンタ２の前面の排出口部２５に向けて略水平に配設され、パーシャルカットされ搬送された連続紙２０を搬送するための空間２４ｃを形成している。したがって、排出部２４は、カット部２３から排出口部２５に向かって徐々に開口が広がるように形成されている。
【００１５】
なお、本実施例では、排出部２４に連続紙２０を搬送する搬送路２１１は、空間２４ｃの上下方向における中央より上側に配置されている。このように、搬送路２１１を空間２４ｃの上下方向における中央より上側に配置することにより、搬送路２１１の下側の排出部２４に十分な空間２４ｃを確保することができる。
また、下部搬送ガイド２４ａおよび上部搬送ガイド２４ｂの幅は、連続紙２０の幅よりやや広く形成されており、空間２４ｃの奥部まで利用者の手が侵入することを防止するようにしている。なお、幅とは、カット部２３から排出口部２５に向かう排出方向と直交する方向の長さである。
【００１６】
排出口部２５は、レシートプリンタ２の前面に配置され、排出部２４で案内された連続紙２０を受け取るために利用者が手を挿入する部位であり、図２および図３に示す媒体発行装置１００の前面に形成された開口部である。利用者は、パーシャルカットされ、排出口部２５から排出された連続紙を掴んで引き抜き、受け取るようになっている。
なお、排出部２４は、印字途中の連続紙２０の引き抜きを防止するため、所定の長さを確保するように形成されている。
このように構成されたレシートプリンタ２は、ＣＰＵ（Ｃｅｎｔｒａｌ  Ｐｒｏｃｅｓｓｉｎｇ  Ｕｎｉｔ）等により構成された制御部が記憶部に記憶された制御プログラム（ソフトウェア）に基づいて全体の動作を制御する。
【００１７】
上述した構成の作用について説明する。
まず、１枚のレシートを印刷して排出するレシートプリンタの動作を説明する。
図１において、搬送ローラ２１が回転することにより連続紙２０を印字部２２へ搬送し、印字部２２で連続紙２０に文字等の印字を行う。印字された連続紙２０は、搬送ローラ２１によりさらに搬送され、所定の長さを確保してカット部２３でパーシャルカットされる。
このとき、連続紙２０の先端部は、排出部２４の下部搬送ガイド２４ａと、上部搬送ガイド２４ｂとにより案内されて排出口部２５へ排出される。
パーシャルカットされた連続紙２０は、１枚のレシートとして排出口部２５から排出され、利用者により引き抜かれ、受け取られる。
【００１８】
次に、複数枚のレシートを印刷して排出するレシートプリンタの動作を説明する。
図４において、搬送ローラ２１が回転することにより連続紙２０を印字部２２へ搬送し、印字部２２で連続紙２０に文字等の印字を行う。印字された連続紙２０は、搬送ローラ２１によりさらに搬送され、所定の長さを確保してカット部２３でパーシャルカットされる。レシートプリンタ２は、この動作を複数回繰り返して行い、パーシャルカットした連続紙２０を複数枚のレシートとして排出部２４を介して排出口部２５から排出する。
このとき、連続紙２０の先端部は、排出部２４の下部搬送ガイド２４ａと、上部搬送ガイド２４ｂとにより案内されて排出口部２５へ排出される。
【００１９】
本実施例では、排出口部２５において排出される連続紙２０が押さえられた場合、連続紙２０は排出部２４に形成された十分な空間２４ｃに湾曲しながら滞留する。したがって、連続用紙２０が排出部２４内で詰まることなく、空間２４ｃに滞留するため、用紙詰まりの発生を防止することができる。
また、図２および図３に示すように、排出口部２５は、連続紙２０の幅よりやや広い幅で形成されており、図４に示す空間２４ｃの奥部まで利用者の手が侵入することを防止するようにしているため、排出部２４の奥部で搬送される連続紙２０を押さえることによる用紙詰まりの発生も防止することができる。
【００２０】
このようにカット部２３と排出口部２５との間の排出部２４に十分な空間２４ｃを形成したことにより、パーシャルカットした連続紙２０を複数枚連続して印字、排出する場合に、その連続紙２０が排出口部２５の近傍で押さえられたとしても用紙詰まりの発生を防止することができる。
以上説明したように、第１の実施例では、カット部と排出口との間に十分な空間を形成したことにより、排出口で用紙が押さえられた場合であっても用紙の詰まりの発生を抑制することができるという効果が得られる。
【実施例２】
【００２１】
第２の実施例の構成は、第１の実施例の構成の排出部に中間搬送ガイドを設けた構成としている。その第２の実施例の構成を以下に説明する。
図６は第２の実施例におけるレシートプリンタの構成を示す説明図であり、図６（ａ）はレシートプリンタの概略側断面図、図６（ｂ）は排出口部の正面図である。なお、上述した第１の実施例と同様の部分は、同一の符号を付してその説明を省略する。
図６において、排出部２４は、板状の下部搬送ガイド２４ａと、板状の上部搬送ガイド２４ｂと、下部搬送ガイド２４ａおよび上部搬送ガイド２４ｂにより形成された空間２４ｃと、下部搬送ガイド２４ａと上部搬送ガイド２４ｂとの間の搬送路２１１の下方に配設された板状の中間搬送ガイド３１とにより形成されたものである。
【００２２】
中間搬送ガイド３１は、カット部２３でパーシャルカットされる連続紙２０を案内するものであり、カット部２３からレシートプリンタ２の前面の排出口部２５に向けて下方に傾斜するように配設され、媒体搬送方向における長さが下部搬送ガイド２４ａおよび上部搬送ガイド２４ｂより短く形成されている。
また、中間搬送ガイド３１は、先端部が排出口部２５を介して利用者の視界に入る十分な長さで形成され、先端部が装置外部から視認できる位置に配置されている。さらに、中間搬送ガイド３１の幅は、下部搬送ガイド２４ａおよび上部搬送ガイド２４ｂの幅と略同じになるように形成されている。
さらに、中間搬送ガイド３１は、下部搬送ガイド２４ａと上部搬送ガイド２４ｂとの間に、下部搬送ガイド２４ａおよび上部搬送ガイド２４ｂに接触することなく配設されている。
【００２３】
第１の実施例のレシートプリンタ２では、図５に示すように、１枚のパーシャルカットされた連続紙２０を排出する場合、カット部２３と排出口部２５との間の排出部２４に確保された十分な空間２４ｃを経由して排出されるため、排出される連続紙２０がカールしてしまうと、その連続紙２０は先端部をカット部２３に近接させて排出部２４の空間２４ｃ内に丸まることにより利用者の視界から外れてしまい、利用者は排出されている連続紙２０を視認することができなくなってしまう。
そこで、本実施例では、排出部２４に、カット部２３からレシートプリンタ２の前面の排出口部２５に向けて下方に傾斜するように配設され、下部搬送ガイド２４ａより短く形成された中間搬送ガイド３１を設け、排出される連続紙２０がカールした場合であっても利用者は排出されている連続紙２０を視認することができるようにしている。
【００２４】
上述した構成の作用について説明する。
図６において、搬送ローラ２１が回転することにより連続紙２０を印字部２２へ搬送し、印字部２２で連続紙２０に文字等の印字を行う。印字された連続紙２０は、搬送ローラ２１によりさらに搬送され、所定の長さを確保してカット部２３でパーシャルカットされる。
このとき、カールした連続紙２０の先端部は、排出部２４の中間搬送ガイド３１により案内されて排出口部２５へ排出される。中間搬送ガイド３１で案内された連続紙２０は、利用者の視界に入り、利用者は排出された連続紙２０を容易に視認することができる。
パーシャルカットされた連続紙２０は、利用者により引き抜かれ、受け取られる。
【００２５】
また、本実施例でも第１の実施例と同様に、排出口部２５において排出される連続紙２０が押さえられた場合、連続紙２０は排出部２４に形成された十分な空間２４ｃに湾曲しながら滞留し、排出部２４内で詰まることがないため、用紙詰まりの発生を防止することができる。
以上説明したように、第２の実施例では、第１の実施例の効果に加え、排出部に、カット部からレシートプリンタの前面に向けて下方に傾斜し、下部搬送ガイドより短く形成された中間搬送ガイドを形成したことにより、排出される連続紙がカールした場合であっても利用者は排出されている連続紙を視認することができるという効果が得られる。
【実施例３】
【００２６】
第３の実施例の構成は、第２の実施例の構成の排出部の中間搬送ガイドの形状を変更した構成としている。その第３の実施例の構成を以下に説明する。
図８は第３の実施例におけるレシートプリンタの中間搬送ガイドの構成を示す説明図であり、図８（ａ）はレシートプリンタの排出口部の正面図、図８（ｂ）は連続紙を排出した状態の説明図である。なお、上述した第１の実施例および第２の実施例と同様の部分は、同一の符号を付してその説明を省略する。
【００２７】
図８において、排出部２４は、図６に示す、板状の下部搬送ガイド２４ａと、板状の上部搬送ガイド２４ｂと、下部搬送ガイド２４ａおよび上部搬送ガイド２４ｂにより形成された空間２４ｃと、下部搬送ガイド２４ａと上部搬送ガイド２４ｂとの間の搬送路２１１の下方に配設された図８に示す２枚の板状の搬送ガイド部材としての中間搬送ガイド４１（４１ａ、４１ｂ）とにより形成されたものである。
中間搬送ガイド４１は、所定の間隔を保持して媒体搬送方向における排出部２４の両側部に配設された２枚の中間搬送ガイド４１ａ、４１ｂで構成され、カット部２３でパーシャルカットされる連続紙２０の排出方向における両側端部を案内するものであり、カット部２３からレシートプリンタ２の前面の排出口部２５に向けて下方に傾斜するように配設され、排出（媒体搬送）方向における長さが下部搬送ガイド２４ａより短く形成されている。
【００２８】
また、中間搬送ガイド４１ａ、４１ｂは、それぞれの先端部が排出口部２５を介して利用者の視界に入る十分な長さで形成されている。さらに、中間搬送ガイド４１ａと中間搬送ガイド４１ｂとの間には、利用者が排出された連続紙２０を掴むことができる間隔が形成されている。
さらに、中間搬送ガイド４１ａ、４１ｂは、下部搬送ガイド２４ａと上部搬送ガイド２４ｂとの間に、下部搬送ガイド２４ａおよび上部搬送ガイド２４ｂに接触することなく配設されている。
【００２９】
第２の実施例のレシートプリンタ２では、図７に示すように、排出方向における中間搬送ガイド３１の長さより短い１枚のパーシャルカットされた連続紙２０を排出する場合、その連続紙２０の先端部は、中間搬送ガイド３１に接触するため、利用者は排出されている連続紙２０を取り出すことが困難になってしまう。
そこで、本実施例では、排出部２４に、所定の間隔を保持して配設された２枚の中間搬送ガイド４１ａ、４１ｂを設け、排出される連続紙２０の先端部が中間搬送ガイド４１に接触している場合であっても、利用者は排出されている連続紙２０を容易に取り出すことができるようにしている。
【００３０】
上述した構成の作用について説明する。
図６において、搬送ローラ２１が回転することにより連続紙２０を印字部２２へ搬送し、印字部２２で連続紙２０に文字等の印字を行う。印字された連続紙２０は、搬送ローラ２１によりさらに搬送され、所定の長さを確保してカット部２３でパーシャルカットされる。
このとき、図８（ｂ）に示すように、連続紙２０の両側端部は、排出部２４の中間搬送ガイド４１（４１ａ、４１ｂ）により案内されて排出口部２５へ排出される。中間搬送ガイド４１（４１ａ、４１ｂ）で案内された連続紙２０の先端部が中間搬送ガイド４１（４１ａ、４１ｂ）に接触している場合であっても、利用者は排出されている連続紙２０の中央部８１を掴み容易に取り出すことができる。
パーシャルカットされた連続紙２０は、利用者により引き抜かれ、受け取られる。
【００３１】
また、本実施例でも第１の実施例と同様に、排出口部２５において排出される連続紙２０が押さえられた場合、連続紙２０は排出部２４に形成された十分な空間２４ｃに湾曲しながら滞留し、排出部２４内で詰まることがないため、用紙詰まりの発生を防止することができる。
以上説明したように、第３の実施例では、第１の実施例の効果に加え、排出部に、所定の間隔を保持して配設された２枚の中間搬送ガイドを形成したことにより、排出される連続紙の先端部が中間搬送ガイドに接触している場合であっても、利用者は排出されている連続紙を容易に取り出すことができるという効果が得られる。
【実施例４】
【００３２】
第４の実施例の構成は、第３の実施例の構成の排出部の中間搬送ガイドの形状を変更した構成としている。その第４の実施例の構成を以下に説明する。
図１０は第４の実施例におけるレシートプリンタの構成を示す説明図であり、図１０（ａ）はレシートプリンタの概略側断面、図８（ｂ）は排出口部の正面図である。なお、上述した第１の実施例および第３の実施例と同様の部分は、同一の符号を付してその説明を省略する。
図１０において、排出部２４は、板状の下部搬送ガイド２４ａと、板状の上部搬送ガイド２４ｂと、下部搬送ガイド２４ａおよび上部搬送ガイド２４ｂにより形成された空間２４ｃと、下部搬送ガイド２４ａと上部搬送ガイド２４ｂとの間の搬送路２１１の下方に配設された２枚の板状の搬送ガイド部材としての中間搬送ガイド５１（５１ａ、５１ｂ）とにより形成されたものである。
【００３３】
中間搬送ガイド５１は、所定の間隔を保持して媒体搬送方向における排出部２４の両側部に配設された２枚の中間搬送ガイド５１ａ、５１ｂで構成され、カット部２３でパーシャルカットされる連続紙２０の排出方向における両側端部を案内するものであり、カット部２３からレシートプリンタ２の前面の排出口部２５に向けて下方に傾斜するように配設され、排出（媒体搬送）方向における長さが下部搬送ガイド２４ａより僅かに長く形成されている。
また、中間搬送ガイド５１ａと中間搬送ガイド５１ｂとの間には、利用者が排出された連続紙２０を掴むことができる間隔が形成されている。
さらに、中間搬送ガイド５１ａと中間搬送ガイド５１ｂは、下部搬送ガイド２４ａに接触するように配設されている。
【００３４】
第３の実施例のレシートプリンタ２では、図９に示すように、排出方向における中間搬送ガイド４１の長さより長い１枚のパーシャルカットされた連続紙２０を排出する場合、その連続紙２０の先端部は、下部搬送ガイド２４ａに接触するため、利用者は排出されている連続紙２０を取り出すことが困難になってしまう。
そこで、本実施例では、排出部２４に、所定の間隔を保持して配設され、下部搬送ガイド２４ａより僅かに長く形成された２枚の中間搬送ガイド５１ａ、５１ｂを設け、排出される連続紙２０の先端部が下部搬送ガイド２４ａに接触しないようにして、利用者が排出されている連続紙２０を容易に取り出すことができるようにしている。
【００３５】
上述した構成の作用について説明する。
図１０において、搬送ローラ２１が回転することにより連続紙２０を印字部２２へ搬送し、印字部２２で連続紙２０に文字等の印字を行う。印字された連続紙２０は、搬送ローラ２１によりさらに搬送され、所定の長さを確保してカット部２３でパーシャルカットされる。
このとき、連続紙２０の両側端部は、排出部２４の中間搬送ガイド５１（５１ａ、５１ｂ）により案内されて排出口部２５へ排出される。中間搬送ガイド５１（５１ａ、５１ｂ）で案内された中間搬送ガイド５１より長い連続紙２０の先端部は、中間搬送ガイド５１（５１ａ、５１ｂ）を越えて中間搬送ガイド５１（５１ａ、５１ｂ）の前方まで搬送され、利用者は排出されている連続紙２０の中央部を掴み容易に取り出すことができる。
【００３６】
また、中間搬送ガイド５１より短い連続紙２０の先端部は、中間搬送ガイド５１（５１ａ、５１ｂ）に接触し、利用者は排出されている連続紙２０の中央部を掴み容易に取り出すことができる。
パーシャルカットされた連続紙２０は、利用者により引き抜かれ、受け取られる。
また、本実施例でも第１の実施例と同様に、排出口部２５において排出される連続紙２０が押さえられた場合、連続紙２０は排出部２４に形成された十分な空間２４ｃに湾曲しながら滞留し、排出部２４内で詰まることがないため、用紙詰まりの発生を防止することができる。
【００３７】
以上説明したように、第４の実施例では、第１の実施例の効果に加え、排出部に、所定の間隔を保持して配設され、下部搬送ガイドより連続用紙の排出方向に僅かに長い２枚の中間搬送ガイドを形成したことにより、連続紙が中間搬送ガイドより長い場合であっても排出される連続紙の先端部が下部搬送ガイドに接触することがなく、利用者は排出されている連続紙を容易に取り出すことができるという効果が得られる。
また、中間搬送ガイドより短い連続紙の先端部は、中間搬送ガイドに接触し、利用者は排出されている連続紙の中央部を掴み容易に取り出すことができるという効果が得られる。
【００３８】
なお、第１の実施例では、図１に示すように、搬送路２１１を空間２４ｃの上下方向における中央より上側に配置するものとして説明したが、下部搬送ガイド２４ａおよび上部搬送ガイド２４ｂにより形成された空間２４ｃが十分に広い空間であれば、空間２４ｃの上下方向における中央より上側に限られることなく、搬送路２１１は空間２４ｃの上下方向における中央、または中央部近傍に配置することが可能である。
【００３９】
特に、第２の実施例および第３の実施例においては、図６および図９に示すように、中間搬送ガイド３１、４１を設けているため、搬送路２１１は空間２４ｃの上下方向における中央より上側ではなく中央、または中央部近傍に配置することが可能である。
また、上部搬送ガイド２４ｂは、カット部２３からレシートプリンタ２の前面の排出口部２５に向けて下方向に傾斜するように配設されてもよい。
さらに、第１の実施例から第４の実施例では、媒体発行装置をＫＩＯＳＫ端末として説明したが、それに限られることなく、媒体を発行するプリンタを備えたものであれば、発券装置や現金自動預払機等の自動取引装置であっても良い。
【符号の説明】
【００４０】
１    タッチパネル
２    レシートプリンタ
３    磁気カードリーダ
４    非接触ＩＣカードリーダ
２０  連続紙
２１  搬送ローラ
２２  印字部
２３  カット部
２４  排出部
２４ａ  下部搬送ガイド
２４ｂ  上部搬送ガイド
２５  排出口部
３１、４１，５１  中間搬送ガイド
１００  媒体発行装置
【図１】
2015101421.tif 000003
【図２】
2015101421.tif 000004
【図３】
2015101421.tif 000005
【図４】
2015101421.tif 000006
【図５】
2015101421.tif 000007
【図６】
2015101421.tif 000008
【図７】
2015101421.tif 000009
【図８】
2015101421.tif 000010
【図９】
2015101421.tif 000011
【図１０】
2015101421.tif 000012
【図１１】
2015101421.tif 000013
【図１２】
2015101421.tif 000014